(57)【要約】【課題】圧縮して噴出させた気体により液体を噴霧する装置において、噴霧の開始時から液体の粒径を小さくすること。【解決手段】貯蔵部２０は、美容液等の液体を貯蔵する。噴霧口４は、貯蔵された液体が噴霧される口である。流路４０は、液体を貯蔵部２０から噴霧口４へ導く。給気部３０は、気体を圧縮して圧縮した気体を噴霧口４へ供給する。操作子１０は、ユーザの操作により位置が変化するように設けられている。弁５０は、操作子１０の位置の変化量が所定値に達すると液体の流路４０を開放する。制御部６０は、操作子１０にユーザが触れた場合に給気部３０を作動させる。これにより、制御部６０は、ユーザの操作子１０への操作に基づいて、流路４０が開放される前に給気部３０を作動させる。【選択図】図６
2018034140.tif 000002
【特許請求の範囲】
【請求項１】
操作子と、
液体を貯蔵する貯蔵部と、
前記液体が噴霧される噴霧口と、
前記液体を前記貯蔵部から前記噴霧口へ導く流路と、
前記操作子への操作に応じて前記流路を開閉する弁と、
気体を圧縮して圧縮した気体を前記噴霧口へ供給する給気部と、
前記操作に基づいて、前記流路が開放される前に前記給気部を作動させる制御部と
を備える噴霧装置。
【請求項２】
前記操作子は、操作により位置又は向きが変化し、
前記弁は、前記位置又は向きの変化量が所定値に達すると前記流路を開放し、
前記制御部は、前記操作子にユーザが触れた場合に前記給気部を作動させる
請求項１に記載の噴霧装置。
【請求項３】
前記操作子は、ユーザの接触を検知する接触センサを備え、
前記制御部は、前記接触センサにより前記接触が検知された場合に前記ユーザが前記操作子に触れたと判断し、前記給気部を作動させる
請求項１又は２に記載の噴霧装置。
【請求項４】
前記操作子は、操作により位置又は向きが変化する第１部分と、操作により位置及び向きが変化せず且つ自装置を持ったユーザの手が触れる位置に設けられた第２部分とを含み、
前記弁は、前記第１部分の前記位置又は向きの変化量が所定値に達すると前記流路を開放し、
前記接触センサは、前記第２部分に設けられている
請求項３に記載の噴霧装置。
【請求項５】
前記操作子は、操作により位置又は向きが変化し、
前記弁は、前記位置又は向きの変化量が第１の量に達すると前記流路を開放し、
前記制御部は、前記変化量が前記第１の量よりも少ない第２の量に達すると前記給気部を作動させる
請求項１に記載の噴霧装置。
【請求項６】
前記操作子は、磁界発生部材を有し、
前記制御部は、磁界の強さを測定する磁気センサを有し、当該磁気センサが測定する磁界の強さが所定値に達すると前記給気部を作動させる
請求項１又は５に記載の噴霧装置。
【請求項７】
請求項１から６のいずれか１項に記載の噴霧装置を備え、
前記液体として化粧品を用いる
美容器具。
【発明の詳細な説明】
【技術分野】
【０００１】
本発明は、ノズルから噴き出る気体に乗せて液体を噴霧する技術に関する。
【背景技術】
【０００２】
ノズルから噴き出る気体に乗せて液体を噴霧する技術として、特許文献１には、ユーザが１つのボタンを押す操作を行うと、ニードル弁を移動させて液体を流出させるとともに、給気手段が空気を圧縮してノズルから噴出させて液体を噴霧する技術が記載されている。
【先行技術文献】
【特許文献】
【０００３】
【特許文献１】韓国特許登録第１０−１５３０４２４号
【発明の概要】
【発明が解決しようとする課題】
【０００４】
特許文献１の技術では、ユーザが１つのボタンを押す操作を行うだけで２系統の動作（ニードル弁の移動による液体の流出と給気手段による空気の圧縮及び噴出）が開始されるので、手間が少なく便利であった。しかし、特許文献１の技術では、これら２系統の動作が同時に開始されるため、空気が圧縮されて噴出されるまでの間に流出した液体が粒径の大きいまま噴出されたり、ノズル先端から漏れたりすることがある。
そこで、本発明は、圧縮して噴出させた気体により液体を噴霧する装置において、噴霧の開始時から液体の粒径を小さくすることを目的とする。
【課題を解決するための手段】
【０００５】
本発明は、操作子と、液体を貯蔵する貯蔵部と、前記液体が噴霧される噴霧口と、前記液体を前記貯蔵部から前記噴霧口へ導く流路と、前記操作子への操作に応じて前記流路を開閉する弁と、気体を圧縮して圧縮した気体を前記噴霧口へ供給する給気部と、前記操作に基づいて、前記流路が開放される前に前記給気部を作動させる制御部とを備える噴霧装置を提供する。
【０００６】
また、前記操作子は、操作により位置又は向きが変化し、前記弁は、前記位置又は向きの変化量が所定値に達すると前記流路を開放し、前記制御部は、前記操作子にユーザが触れた場合に前記給気部を作動させてもよい。
【０００７】
また、前記操作子は、ユーザの接触を検知する接触センサを備え、前記制御部は、前記接触センサにより前記接触が検知された場合に前記ユーザが前記操作子に触れたと判断し、前記給気部を作動させてもよい。
【０００８】
また、前記操作子は、操作により位置又は向きが変化する第１部分と、操作により位置及び向きが変化せず且つ自装置を持ったユーザの手が触れる位置に設けられた第２部分とを含み、前記弁は、前記第１部分の前記位置又は向きの変化量が所定値に達すると前記流路を開放し、前記接触センサは、前記第２部分に設けられていてもよい。
【０００９】
また、前記操作子は、操作により位置又は向きが変化し、前記弁は、前記位置又は向きの変化量が第１の量に達すると前記流路を開放し、前記制御部は、前記変化量が前記第１の量よりも少ない第２の量に達すると前記給気部を作動させてもよい。
【００１０】
また、前記操作子は、磁界発生部材を有し、前記制御部は、磁界の強さを測定する磁気センサを有し、当該磁気センサが測定する磁界の強さが所定値に達すると前記給気部を作動させてもよい。
【００１１】
また、本発明は、上記の噴霧装置を備え、前記液体として化粧品を用いる美容器具を提供する。
【発明の効果】
【００１２】
本発明によれば、圧縮して噴出させた気体により液体を噴霧する装置において、噴霧の開始時から液体の粒径を小さくすることができる。
【図面の簡単な説明】
【００１３】
【図１】第１実施例の噴霧装置の外観を表す図
【図２】噴射ヘッドの外観を表す図
【図３】正面から見た噴霧装置を表す図
【図４】側面から見た噴霧装置を表す図
【図５】後ろから見た噴霧装置を表す図
【図６】矢視VI-VIに見た噴霧装置の断面を表す図
【図７】図６のＸ部を拡大して表す図
【図８】ユーザが操作子に接触した状態を表す図
【図９】ユーザが操作子を押し下げた状態を表す図
【図１０】第２実施例の噴霧装置の断面を表す図
【図１１】図１０のＸ２部を拡大して表す図
【図１２】操作子が操作された状態を表す図
【図１３】操作子への操作がさらに進んだ状態を表す図
【図１４】側面及び背面から見た変形例の噴霧装置を表す図
【発明を実施するための形態】
【００１４】
［１］第１実施例
図１は第１実施例の噴霧装置１の外観を表す。噴霧装置１は、美容液等の液体を貯蔵して、圧縮空気を噴出することでその液体を霧状にして噴出、すなわち噴霧する装置である。噴霧装置１は、片手で握ることができる大きさであり、携帯可能な重さである。噴霧装置１は、給気本体２と、噴射ヘッド３とを備える。
【００１５】
給気本体２及び噴射ヘッド３は着脱可能に接続するようになっており、これらが接続されることで噴霧装置１として用いられる。噴射ヘッド３は、液体を貯蔵する貯蔵部２０と、貯蔵された液体が噴霧される口である噴霧口４と、ユーザによって操作される操作子１０とを備える。噴霧装置１は、貯蔵部２０に液体が貯蔵された状態でユーザによって操作子１０が操作されることで液体を噴霧口４から噴霧する。
【００１６】
給気本体２は、気体（通常は空気）を圧縮するコンプレッサ等を備え、気体を圧縮して圧縮した気体を噴射ヘッド３に供給する。給気本体２には、雄の接続筒部３１と、貫通孔５とが設けられている。雄の接続筒部３１は、噴射ヘッド３側の接続筒部３２（図２参照）に接続され、圧縮された気体を給気本体２から噴射ヘッド３へ導く給気路を形成する。貫通孔５は、操作子１０の一部が貫通する孔であり、操作子１０への操作を、ポンプ等を作動させる後述する回路に伝えるために設けられている。
【００１７】
図２は噴射ヘッド３の外観を表す。噴射ヘッド３には、前述した噴射ヘッド３側の接続筒部である雌の接続筒部３２が設けられている。また、噴射ヘッド３からは、操作子１０が有する配線部材１３が突き出している。配線部材１３は、例えば導線を有し、図１に表す貫通孔５を貫通するように配置されている。配線部材１３は、後述する回路と導線とが電気的に接続されることで、配線として機能する。
【００１８】
図３は正面、図４は側面、図５は背面から見た噴霧装置１をそれぞれ表す。噴霧装置１の正面とは噴霧装置１の噴霧口４側をいうものとする。各図で表されているように、噴霧装置１は、細長い棒状の形をしており、側面のうち長手方向の一方の端に近い方に噴霧口４が設けられている。以下では、噴霧装置１の長手方向の端のうち噴霧口４に近い方を上端、その反対の端を下端として、下端から上端に向かう向きを上向き、その反対向きを下向きというものとする。
【００１９】
図４では、操作子１０が有する接触部材１１が表されている。接触部材１１は、バネ等により上向きに付勢されており、ユーザが下向きに押し下げることができるように設けられている。操作子１０は、ユーザが接触部材１１に指等を接触させて下向きに押し下げることで操作されるボタン型の操作子である。図５では、充電端子７２が表されている。充電端子７２は、後述する回路に電力を供給するバッテリーを充電するための端子である。図３では、噴霧口４の中心を通る矢視VI-VIが表されている。
【００２０】
図６は矢視VI-VIに見た噴霧装置１の断面を表す。噴霧装置１は、操作子１０と、貯蔵部２０と、給気部３０と、流路４０と、弁５０と、制御部６０と、電源部７０とを備える。操作子１０は、接触部材１１と、押し下げ部材１２と、配線部材１３と、接触センサ１４とを備える。貯蔵部２０は、貯蔵タンク２１と、キャップ２２とを備える。給気部３０は、雄の接続筒部３１と、雌の接続筒部３２と、コンプレッサ３３と、気体通路３４とを備える。流路４０は、液溜まり部４１と、液体通路４２とを備える。制御部６０は、回路基板６１と、配線部材６２とを備える。電源部７０は、バッテリー７１と、充電端子７２とを備える。
【００２１】
貯蔵タンク２１は、上側にキャップ２２によって蓋をされた補充口を有し、補充口から補充された美容液等の液体を貯蔵する。貯蔵タンク２１の下側は液溜まり部４１に繋がっている。液溜まり部４１は、貯蔵タンク２１に貯蔵された液体が流れ落ちてきて溜まる空間である。液溜まり部４１は液体通路４２に繋がっている。液体通路４２は、液溜まり部４１に溜まった液体を噴霧口４まで導く通路である。流路４０は、液溜まり部４１及び液体通路４２を備えることで、液体を貯蔵部２０から噴霧口４へ導く。
【００２２】
コンプレッサ３３は、気体（通常は空気）を圧縮して圧縮した気体を送り出す装置である。コンプレッサ３３は雄の接続筒部３１に接続されており、コンプレッサ３３が圧縮した気体は、雄の接続筒部３１及び雌の接続筒部３２を通って気体通路３４に供給される。気体通路３４は、気体を導く通路であり、一方の端が雌の接続筒部３２に繋がっており、他方の端が噴霧口４まで繋がっている。給気部３０は、雄の接続筒部３１、雌の接続筒部３２、コンプレッサ３３及び気体通路３４を備えることで、気体を圧縮して圧縮した気体を噴霧口４へ供給する。
【００２３】
バッテリー７１は、充電端子７２と電気的に接続され、外部電源から充電端子７２を介して供給された電力を蓄える。また、バッテリー７１は、回路基板６１とも電気的に接続されており、蓄えた電力を回路基板６１に供給する。回路基板６１は、コンプレッサ３３の動作を制御する回路である。回路基板６１は、コンプレッサ３３への電力供給の有無を切り替えるスイッチを有し、そのスイッチのオン（電力供給あり）・オフ（電力供給なし）を切り替えることで、コンプレッサ３３による気体の圧縮の開始及び終了を制御する。
【００２４】
配線部材６２は、例えば導線を有し、回路基板６１と、貫通孔５を通して給気本体２に進入する操作子１０の配線部材１３とを電気的に接続する配線として機能する。配線部材６２は、給気本体２及び噴射ヘッド３が接続されれば、操作子１０が操作されていない状態、すなわち操作子１０が下向きに押し下げられていない状態でも、回路基板６１及び配線部材１３を電気的に接続するように配置されている。配線部材１３は、接触部材１１と繋がっており、回路基板６１は、配線部材６２及び配線部材１３を介して常に接触センサ１４に電力を供給している。なお、これらの配線部材は、導線を有するものに限らず、例えば部材全体が導電性を有していて各部を電気的に接続するものであってもよい。
【００２５】
接触センサ１４は、操作子１０へのユーザの接触を検知するセンサであり、接触部材１１に設けられている。接触センサ１４としては、例えばタッチセンサ（静電容量センサ、抵抗膜式センサ、赤外線式センサなど）が用いられるが、これに限らず、圧力センサ（圧力の変化で接触を検知する）又は温度センサ（温度の変化で接触を検知する）等が用いられてもよい。接触センサ１４は、操作子１０へのユーザの接触の有無を示す信号を配線部材６２及び配線部材１３を介して回路基板６１に供給する。
【００２６】
回路基板６１は、供給された信号から操作子１０へのユーザの接触の有無を判断し、接触があったと判断した場合に、上記スイッチをオンにしてコンプレッサ３３に電力を供給し、気体の圧縮を開始させる。このようにして、制御部６０は、接触センサ１４によりユーザの接触が検知された場合に操作子１０にユーザが触れたと判断し、給気部３０を作動させる。
【００２７】
弁５０は、操作子１０への操作に応じて流路４０を開閉する。弁５０について図７を参照して説明する。
図７は図６のＸ１部を拡大して表す。弁５０は、ニードル５１と、ニードル支持部５２と、バネ５３と、レバー部５４と、動力変換部５５とを備える。ニードル５１は、先端が細くなった針の形をした部材であり、操作子１０が操作されていない場合には図７に示すように噴霧口４に先端を差し込んで噴霧口４を閉じた状態にする。
【００２８】
より詳細には、噴霧口４においては、気体通路３４の終端である気体出口３４１と、それおりも内側に液体通路４２の終端である液体出口４２１とが設けられている。ニードル５１は、操作子１０が操作されていない場合には気体出口３４１及び液体出口４２１の両方を閉じた状態にする。
【００２９】
ニードル支持部５２は、ニードル５１の後端（先端の反対側の端）を支持する。バネ５３は、ニードル支持部５２に対してニードル５１が噴霧口４を閉じる閉鎖方向Ａ１に付勢する（力を加える）。閉鎖方向Ａ１とは、ニードル５１の後端から先端に向かう方向である。
【００３０】
レバー部５４は、軸５４１を中心に回転可能に設けられており、軸５４１から離れた方の端部５４２が操作子１０の押し下げ部材１２の下側に接触している。レバー部５４は、図示せぬバネ等の付勢手段により、端部５４２が押し下げ部材１２を上側に押し上げる方向に付勢されている。
【００３１】
押し下げ部材１２は、配線部材１３に固定されており、配線部材１３は接触部材１１に固定されている。ユーザが接触部材１１に触れて操作子１０を押し下げる操作を行うと、押し下げ部材１２は下向きに移動して、レバー部５４の端部５４２を下向きに押し下げる。端部５４２が下向きに押し下げられると、レバー部５４は、軸５４１を中心に回転する。
【００３２】
動力変換部５５は、レバー部５４及びニードル支持部５２に接触するように設けられている。動力変換部５５は、レバー部５４が回転すると、その回転力を、ニードル支持部５２を上記閉鎖方向Ａ１とは反対向きの方向、すなわちニードル５１を噴霧口４から後退させて気体出口３４１及び液体出口４２１を開放する開放方向Ａ２に付勢する力に変換する。そのため、操作子１０を押し下げる操作が行われると、操作子１０を押し下げる力がレバー部５４及び動力変換部５５を介してニードル５１に伝わり、噴霧口４が開放される。
【００３３】
ユーザが操作子１０を操作してから液体が噴霧されるまでの動作について図８及び図９を参照して説明する。
図８はユーザＵ１が操作子１０に接触した状態を表す。図８の状態では、まだ操作子１０が下向きに押し下げられておらず上下方向の位置が変わっていない。この状態で、操作子１０の接触センサ１４が接触の有無を示す信号を回路基板６１に供給し、回路基板６１が操作子１０への接触があったと判断してコンプレッサ３３を制御して気体の圧縮を開始させる。
【００３４】
図９はユーザＵ１が操作子１０を押し下げた状態を表す。図９の状態では、操作子１０の押し下げ部材１２がレバー部５４を回転させ、その回転力によりニードル５１が開放方向Ａ２に移動し、気体出口３４１及び液体出口４２１が開放、すなわち噴霧口４が開放されている。液体出口４２１が開放されるとは、液体が液体出口４２１から流出することをいう。本実施例では、図９に表す位置まで押し下げ部材１２が押し下げられたときに液体が液体出口４２１から流出する。
【００３５】
以上のとおり、操作子１０は、ユーザの操作により位置（上下方向の位置）が変化するように設けられている。弁５０は、操作子１０の位置の変化量が所定値（本実施例では図８の状態から図９の状態までに移動する量）に達すると液体の流路４０を開放する。また、制御部６０は、ユーザの操作子１０への操作に基づいて、図９に表すように流路４０が開放される前に、図８で述べたように給気部３０を作動させる。
【００３６】
給気部３０のようにまず気体を圧縮し、その圧縮した気体を噴霧口４に供給する場合、気体の圧縮を開始してから噴霧口４から圧縮された気体が噴出するまでの間に気体の圧縮に要した時間が経過することになる。そのため、仮に気体の圧縮の開始と同時に流路４０が開放されると、圧縮された気体が噴霧口４から噴出され始めるまでの期間に流出した液体が液体出口４２１の外側に溜まってしまい、大きな粒径の液体が噴霧されたり、噴霧口４から液体が漏れ出たりすることが起こり得る。
【００３７】
本実施例では、上記のとおり流路４０が開放される前に給気部３０を作動させるので、液体出口４２１から液体を流出させる前に気体の圧縮に要する時間を待つことができる。その結果、噴霧装置１のように圧縮して噴出させた気体により液体を噴霧する装置において、給気部３０の作動及び流路４０の開放が同時である場合に比べて、噴霧の開始時から液体の粒径を小さくすることができる。
【００３８】
また、本実施例では、操作子１０にユーザが触れた場合に給気部３０を作動させるので、給気部３０を作動させるのに操作子１０を移動させる時間が不要であり、給気部３０の作動に操作子１０の移動が必要な場合に比べて、気体の圧縮を待つ時間を長く確保することができる。また、本実施例では、ユーザが操作子１０を押し下げるという１つの操作を行うだけで、上記のとおり給気部３０の作動開始タイミングと流路４０の開放タイミングとをずらすことができるようになっている。
【００３９】
［２］第２実施例
本発明の第２実施例について、以下、第１実施例と異なる点を中心に説明する。第１実施例では、接触センサ１４が接触部材１１へのユーザの接触を検知することで給気部３０が作動されたが、第２実施例では、ホール素子が磁界を検知することで給気部３０が作動される。
【００４０】
図１０は第２実施例の噴霧装置１ａの断面を表す。噴霧装置１ａは、噴射ヘッド３ａの内部に設けられた操作子１０ａと、給気本体２ａの内部に設けられた制御部６０ａとを備える。操作子１０ａは、接触部材１１と、押し下げ部材１２と、連結部材１５と、マグネット１６とを備える。制御部６０ａは、回路基板６１と、磁気センサ６３とを備える。連結部材１５は、接触部材１１、押し下げ部材１２及びマグネット１６を連結する部材である。
【００４１】
連結部材１５は、上下方向を長手方向とする細長い部材であり、上端に接触部材１１が固定され、下端にマグネット１６が固定されている。また、上端よりも下端に近い方に押し下げ部材１２が固定されている。マグネット１６は、磁界を発生させる磁界発生部材であり、例えば永久磁石である。
【００４２】
磁気センサ６３は、磁界の強さを測定するセンサであり、例えばホール素子である（ホール素子以外の磁気センサでもよい）。磁気センサ６３は、測定した磁界の強さを示す信号を回路基板６１に供給する。回路基板６１は、供給された信号が示す磁界の強さに基づいて、マグネット１６及び磁気センサ６３の距離を算出する。
【００４３】
図１１は図１０のＸ２部を拡大して表す。図１１では、操作子１０ａが下向きに押し下げられていない状態が表されている。この状態で、マグネット１６及び磁気センサ６３は、互いの距離がＬ１となるように配置されている。回路基板６１は、この距離がＬ１よりも小さいＬ２まで接近した場合に、操作子１０ａが操作されたと判断してコンプレッサ３３を制御して気体の圧縮を開始させる。
【００４４】
図１２は操作子１０ａが操作された状態を表す。図１２では、ユーザＵ１が操作子１０ａをＬ２（Ｌ１＜Ｌ２）だけ押し下げた状態が表されている。この状態のとき、回路基板６１は、磁気センサ６３から供給された信号によりマグネット１６及び磁気センサ６３の距離がＬ２まで接近したと判断し、コンプレッサ３３を制御して気体の圧縮を開始させる。
【００４５】
このように、制御部６０ａは、磁気センサ６３が測定する磁界の強さが所定値（マグネット１６及び磁気センサ６３の距離がＬ２と算出される強さ）に達すると給気部３０を作動させる。このとき、マグネット１６及び磁気センサ６３は離れていてもよいため、操作子１０ａの下端に設けたマグネット１６を給気本体２ａの内部まで移動させる必要がない。そのため、給気本体２ａには、図１に表す貫通孔５のような孔が設けられておらず、貫通孔５のように操作子の位置及び大きさに合わせた孔を給気本体に設ける場合に比べて、給気本体の加工が容易になっている。
【００４６】
一方、押し下げ部材１２もＬ２だけ押し下げられ、レバー部５４を回転させているが、この状態では、液体出口４２１から液体が流出するほどにはニードル５１が開放方向Ａ２に移動していないものとする。そのため、図１２の状態では、流路４０がまだ開放されておらず、噴霧口４からの噴霧も開始されていない。
【００４７】
図１３は操作子１０ａへの操作がさらに進んだ状態を表す。図１３では、ユーザＵ１が操作子１０ａをＬ３（Ｌ２＜Ｌ３）だけ押し下げた状態が表されている。本実施例では、この状態になると、液体出口４２１からの液体の流出が開始されるくらいニードル５１が開放方向Ａ２に移動し、流路４０が開放される。
【００４８】
以上のとおり、本実施例では、弁５０が、操作子１０ａの位置の変化量が第１の量（図１１の状態から図１３の状態までの移動量であるＬ１−Ｌ３）に達すると流路４０を開放する。そして、制御部６０ａが、操作子１０ａの位置の変化量が第１の量よりも少ない第２の量（図１１の状態から図１２の状態までの移動量であるＬ１−Ｌ２）に達すると給気部３０を作動させる。
【００４９】
本実施例では、給気本体２ａに設けられた磁気センサ６３を同じく給気本体２ａに設けられた回路基板６１に電気的に接続すればよいので、第１実施例のように接触部材１１への接触を検知するために噴射ヘッド３ａに設けられた接触センサ１４から回路基板６１までを電気的に接続する場合に比べて、配線を少なくすることができる。また、本実施例でも、ユーザが操作子１０ａを押し下げるという１つの操作を行うだけで、上記のとおり給気部３０の作動開始タイミングと流路４０の開放タイミングとをずらすことができるようになっている。
【００５０】
［３］変形例
上述した各実施例はそれぞれが本発明の実施の一例に過ぎず以下のように変形させてもよい。また、各実施例及び各変形例は必要に応じてそれぞれ組み合わせて実施してもよい。
【００５１】
［３−１］美容器具
上記各実施例では、噴霧装置について説明したが、本発明は、それらの噴霧装置と、貯蔵部２０に貯蔵される液体として化粧品を用いる美容器具として適用されてもよい。ここでいう化粧品には、スキンケア、メイクアップ及びヘアケア等の用途に用いるもの（化粧水、美容液等）の他、香水及びオーデコロン等の香りを楽しむためのものも含まれる。
【００５２】
［３−２］給気部の作動開始タイミングと流路の開放タイミング
第１実施例では接触部材１１への接触を接触センサ１４で検知することで、第２実施例では磁気センサ６３が測定する磁界の強さを２段階で判断することで、給気部３０の作動開始タイミングと流路４０の開放タイミングをずらしたが、両タイミングをずらす方法はそれらに限らない。
【００５３】
例えば第２実施例において、磁気センサに替えて赤外線センサ又は超音波センサ等を用いて操作子との距離を測定してもよい。また、操作子を回路基板６１のスイッチに接触させておき、操作子が操作されてわずかでも押し下げられると流路４０が開放されるよりも前にスイッチがオンになって回路基板６１が給気部を作動させるようにしてもよい。
【００５４】
また、ユーザが操作子を操作すると、回路基板６１が制御するモータ等の駆動装置が作動して流路４０が開放される仕組みを採用し、回路基板６１が上記２つのタイミングをずらすように給気部３０及び駆動装置を制御してもよい。要するに、回路基板６１を備える制御部が、操作子への操作に基づいて、流路４０が開放される前に給気部３０を作動させるようになっていればよい。
【００５５】
［３−３］操作子
上記実施例では、ユーザにより下向きに押し下げられるボタン型の操作子が用いられたが、これに限らない。例えば水平方向に押し込むボタン型の操作子でもよいし、レバー型のスイッチ、ツマミを回転させるツマミ型のスイッチ、操作ボタンの両端を交互に押すことでオン・オフを切り替えるロッカスイッチ等であってもよい。
【００５６】
要するに、操作子は、ユーザに操作されると位置又は向きが変化するものであればよい。いずれの場合も、例えば第１実施例のように噴霧装置が備える弁がその操作子の位置又は向きの変化量に応じて流路４０を開放し、また、第２実施例のように、その変化量が第１の量に達すると弁が流路４０を開放し、その変化量が第２の量に達すると給気部３０を作動させる。
【００５７】
また、操作子は、弁５０を動かして流路４０を開閉する開閉操作子と、給気部３０を作動させて気体の圧縮を開始させる給気操作子とに分かれていてもよい。
図１４は側面及び背面から見た本変形例の噴霧装置１ｂを表す。噴霧装置１ｂは給気本体２ｂ及び操作子１０ｂを備え、操作子１０ｂは、開閉操作子１７及び給気操作子１８を備える。
【００５８】
開閉操作子１７は、図６に表す接触部材１１及び押し下げ部材１２を備える。この開閉操作子１７がユーザの操作で押し下げられることで、弁５０が、開閉操作子１７の位置の変化量が所定値に達すると流路４０を開放する。開閉操作子１７は、操作子１０ｂのうちの操作により位置が変化する部分であり、本発明の「第１部分」の一例である。なお、開閉操作子は、操作により向きが変化する部分であってもよいし、位置及び向きの両方が変化する部分であってもよい。開閉操作子１７は、図６に表す配線部材１３及び接触センサ１４は備えていない。
【００５９】
給気操作子１８は、操作子１０ｂのうちの操作により位置及び向きが変化しない部分であり、本発明の「第２部分」の一例である。給気操作子１８には、接触センサ１９が設けられている。接触センサ１９は、操作子１０ｂ（そのうちの給気操作子１８）へのユーザの接触を検知する。接触センサ１９は、図６に表す回路基板６１と電気的に接続しており、自センサへのユーザの接触の有無を示す信号を回路基板６１に供給する。これにより、実施例と同様に、制御部６０が、接触センサ１９によりユーザの接触が検知された場合に操作子１０ｂにユーザが触れたと判断し、給気部３０を作動させる。
【００６０】
給気操作子１８は、給気本体２ｂの背面側（噴霧口４が設けられている方を噴霧装置１ｂの正面とした場合の背面側）で且つ充電端子７２の上側に設けられている。例えばユーザが開閉操作子１７を人差し指で操作するために噴霧装置１ｂを持つと、ユーザの手の平が給気本体２ｂの背面側を覆うようになるので、そこに設けられた給気操作子１８及び接触センサ１９にユーザの手が接触することになる。このように、給気操作子１８は、噴霧の操作を行おうとして自装置を持ったユーザの手が触れる位置に設けられている。
【００６１】
なお、給気操作子の位置はこれに限らない。給気操作子は、例えば給気本体の側面側に設けられていてもよいし、噴霧ヘッドの背面側に設けられていてもよい。これらの位置も、噴霧の操作を行おうとして自装置を持ったユーザの手が触れる位置となっている。いずれの場合も、給気操作子に設けられた接触センサに、開閉操作子を操作しようとしたユーザの手が触れることになる。本変形例では、ユーザが開閉操作子への操作を開始するよりも前に接触センサにユーザの手が触れることになるので、開閉操作子に接触センサが設けられる場合に比べて、給気部３０が作動してから流路４０が開放されるまでの期間を長くすることができ、噴霧の開始時から液体の粒径を小さくすることをより確実に実現することができる。
【符号の説明】
【００６２】
１…噴霧装置、２…給気本体、３…噴射ヘッド、４…噴霧口、５…貫通孔、１０…操作子、１１…接触部材、１２…押し下げ部材、１３…配線部材、１４、１９…接触センサ、１５…連結部材、１６…マグネット、１７…開閉操作子、１８…給気操作子、２０…貯蔵部、２１…貯蔵タンク、２２…キャップ、３０…給気部、３１…雄の接続筒部、３２…雌の接続筒部、３３…コンプレッサ、３４…気体通路、４０…流路、４１…液溜まり部、４２…液体通路、５０…弁、５１…ニードル、５２…ニードル支持部、５３…バネ、５４…レバー部、５５…動力変換部、６０…制御部、６１…回路基板、６２…配線部材、６３…磁気センサ、７０…電源部、７１…バッテリー、７２…充電端子。
【図１】
2018034140.tif 000003
【図２】
2018034140.tif 000004
【図３】
2018034140.tif 000005
【図４】
2018034140.tif 000006
【図５】
2018034140.tif 000007
【図６】
2018034140.tif 000008
【図７】
2018034140.tif 000009
【図８】
2018034140.tif 000010
【図９】
2018034140.tif 000011
【図１０】
2018034140.tif 000012
【図１１】
2018034140.tif 000013
【図１２】
2018034140.tif 000014
【図１３】
2018034140.tif 000015
【図１４】
2018034140.tif 000016